(57)【特許請求の範囲】
【請求項１】
洗浄水により洗浄されて汚物を排出する水洗大便器において、
便器本体であって、ボウル形状の汚物受け面を有するボウル部と、前記ボウル部の外側に形成されるスカート部と、を有する陶器製の前記便器本体と、
前記ボウル部の下方にその入口が接続され汚物を排出する排水路と、
前記ボウル部に洗浄水を吐水する吐水部と、
前記吐水部に洗浄水を導く導水路と、
前記ボウル部への洗浄水の吐止水を制御する弁体を少なくとも有する機能部と、を備え、
前記便器本体は、前記スカート部の上端部よりも下方且つ前記スカート部よりも内側に前記機能部の少なくとも一部を前記便器本体内に埋め込むように収納する第一収納空間部を形成し、さらに、前記スカート部は、外装部分を形成する外壁と、前記外壁の内側に形成され且つ前記外壁との間に二重壁内収納空間部を形成する内壁と、を備えた二重壁部分を少なくとも一部に形成し、前記第一収納空間部と、前記第一収納空間部の左右方向外側の前記スカート部の前記二重壁内収納空間部とを隔てる前記内壁には、前記二重壁部内の前記二重壁内収納空間部と前記第一収納空間部とを連通する第一接続開口が形成され、
前記第一収納空間部に配置される前記機能部の少なくとも一部が、前記第一接続開口を介して前記二重壁内収納空間部内に配置されることを特徴とする水洗大便器。
【請求項２】
前記スカート部の前記内壁には、前記二重壁内収納空間部と前記便器本体内の第二収納空間部とを連通する第二接続開口が形成され、
前記機能部の可撓性の細長部材が前記二重壁内収納空間部から前記第二接続開口を介して前記便器本体内の前記第二収納空間部に延ばされるようになっている請求項１に記載の水洗大便器。
【請求項３】
前記便器本体は、さらに、前記機能部の可撓性の細長部材を前記二重壁内収納空間部から前記便器本体の外部まで挿通可能な挿通経路部を備え、
前記機能部の前記可撓性の細長部材が前記二重壁内収納空間部から前記挿通経路部を通して外部に延ばされるようになっている請求項１又は２に記載の水洗大便器。
【請求項４】
さらに、前記二重壁内収納空間部内に管状の通路を形成するさや管を有し、前記機能部の前記可撓性の細長部材が前記二重壁内収納空間部内に配置された前記さや管内を挿通される請求項２又は３に記載の水洗大便器。
【請求項５】
前記さや管は、前記便器本体に固定されている請求項４記載の水洗大便器。
【請求項６】
前記便器本体は、さらに、少なくとも２カ所の前記二重壁部分の前記内壁を連結する補強部を有する請求項１乃至５の何れか１項に記載の水洗大便器。
【発明の詳細な説明】
【技術分野】
【０００１】
本発明は、水洗大便器に係り、特に、洗浄水により洗浄されて汚物を排出する水洗大便器に関する。
【背景技術】
【０００２】
従来から、特許文献１に示すように、陶器製の便器本体の後方の内部空間において便器洗浄装置等の一部を収納することができる水洗大便器が知られている。
【０００３】
また、特許文献２に示すように、便器本体の後部において、バルブユニットを左右側方から組み込むことができる水洗大便器が開示されている。この水洗大便器においては、便器本体の後方の内部空間においてバルブユニットがベースプレート上に配置されるようになっている。
【０００４】
また、特許文献１に示すように、便器本体の後部において、洗浄水供給手段の一部を収納することができる収納室が形成されている水洗大便器が開示されている。この水洗大便器においては、収納室の背面に挿通口が形成され、給水管が挿通口を通して配置されるようになっている。
【先行技術文献】
【特許文献】
【０００５】
【特許文献１】特開２００２−０８１１１７号公報
【特許文献２】特開２００２−２９４８４１号公報
【発明の概要】
【発明が解決しようとする課題】
【０００６】
上述の特許文献１及び２に示すように、便器洗浄装置等の機能部を便器本体内に収納してなるべく目立たせないようにし、便器本体の外観を、美観を有するデザインにより形成したいという要請がある。
【０００７】
しかしながら、特許文献１のように、陶器製の便器本体の後方のスカート部の内側の内部空間において便器洗浄装置等の機能部を収納しようとしても、便器洗浄装置等を全て便器本体の後方の内部空間に組み込むことは制約が多いため、便器洗浄装置等を便器本体の後方のリム部より上方まで突出させて配置する必要が生じていた。さらに、このように便器本体内に便器洗浄装置等の機能部の収納スペースを十分にとることが難しいため、便器洗浄装置等を便器本体の後方の上方まで突出させて配置した状態で、便器本体の上部後方から配線及び排水管等を便器本体の外側に這わせて配置していた。このように、便器本体の外部まで便器洗浄装置等が突出され、且つ配線及び排水管等が露出して配置されるので、便器本体の外観を、美観を有するデザインにより形成したとしても、便器本体の外観の美観を損ねるという懸念がある。
【０００８】
また、特許文献２に示すように、便器上面の美観を維持しようとすると、便器本体の前後方向の長さをより長く形成し、機能部を便器本体の側方から挿入するように、便器本体の側方に特別な挿入開口を形成する必要がある。
このように、便器本体内において機能部の収納スペースを拡大しようとすれば便器本体を大型化してしまうことも問題となっている。
【０００９】
さらに、特許文献１に示すように、陶器製の便器本体の後方の内部空間において便器洗浄装置等の機能部の一部を収納しようとしても、便器洗浄装置等を便器本体の後方の内部空間に組み込むことは制約が多いため、配線及び排水管等を便器本体内に収納する収納スペースをとることが難しく、便器本体の上部後方から、配線及び排水管等を便器本体の外側に這わせて配置していた。
このように、特許文献１に示すような水洗大便器においても、便器本体の外部まで便器洗浄装置等が突出され、且つ配線及び排水管等が露出して配置されるので、便器本体の外観を、美観を有するデザインにより形成したとしても、便器本体の外観の美観を損ねるという懸念がある。
【００１０】
また、陶器製の便器本体の後方のスカート部の内側の内部空間に、便器洗浄装置等の機能部を埋め込むように完全に収納しようとする場合、便器本体内に便器洗浄装置等の機能部の収納スペースを十分にとることがより難しくなり、配線及び排水管等が露出して配置され、便器本体の外観の美観を損ねることが問題となる。
【００１１】
そこで、本発明は、機能部の少なくとも一部がスカート部よりも内側の便器本体内の第一収納空間部に埋め込むように収納される場合に、第一収納空間部に配置される機能部の少なくとも一部が第一接続開口を介してスカート部の二重壁内収納空間部内に配置され、機能部の一部をスカート部の二重壁内収納空間部内に配置することができるので、機能部の収納スペースを効率的に拡大することができる水洗大便器を提供することを目的としている。
【課題を解決するための手段】
【００１２】
上述した目的を達成するために、本発明は、洗浄水により洗浄されて汚物を排出する水洗大便器において、便器本体であって、ボウル形状の汚物受け面を有するボウル部と、ボウル部の外側に形成されるスカート部と、を有する陶器製の便器本体と、このボウル部の下方にその入口が接続され汚物を排出する排水路と、ボウル部に洗浄水を吐水する吐水部と、吐水部に洗浄水を導く導水路と、ボウル部への洗浄水の吐止水を制御する機能を少なくとも有する機能部と、を備え、便器本体は、スカート部の上端部よりも下方且つスカート部よりも内側に機能部の少なくとも一部を便器本体内に埋め込むように収納する第一収納空間部を形成し、さらに、スカート部は、外装部分を形成する外壁と、外壁の内側に形成され且つ外壁との間に二重壁内収納空間部を形成する内壁と、を備えた二重壁部分を少なくとも一部に形成し、前記第一収納空間部と、前記第一収納空間部の左右方向外側の前記スカート部の前記二重壁内収納空間部とを隔てる内壁には、二重壁部内の二重壁内収納空間部と第一収納空間部とを連通する第一接続開口が形成され、第一収納空間部に配置される機能部の少なくとも一部が、第一接続開口を介して二重壁内収納空間部内に配置されることを特徴とする。
このように構成された本発明においては、便器本体は、スカート部の上端部よりも下方且つスカート部よりも内側に機能部の少なくとも一部を便器本体内に埋め込むように収納する第一収納空間部を形成し、さらに、スカート部は、外壁と、外壁との間に二重壁内収納空間部を形成する内壁とを備えた二重壁部分を少なくとも一部に形成している。よって、機能部の少なくとも一部がスカート部よりも内側の便器本体内の第一収納空間部に埋め込むように収納される場合に、第一収納空間部に配置される機能部の少なくとも一部が第一接続開口を介してスカート部の二重壁内収納空間部内に配置され、機能部の一部をスカート部の二重壁内収納空間部内に配置することができるので、機能部の収納スペースを効率的に拡大することができる。
【００１３】
本発明において、好ましくは、スカート部の内壁には、二重壁内収納空間部と便器本体内の第二収納空間部とを連通する第二接続開口が形成され、機能部の可撓性の細長部材が二重壁内収納空間部から第二接続開口を介して便器本体内の第二収納空間部に延ばされるようになっている。
このように構成された本発明においては、機能部の可撓性の細長部材が二重壁内収納空間部から第二接続開口を介して便器本体内の第二収納空間部に延ばされるので、機能部の一部を第一収納空間部からスカート部の二重壁部分内の二重壁内収納空間部内を介して第二収納空間部まで至るように配置することができ、スカート部の二重壁部分内の二重壁内収納空間部の収納スペースを有効に活用しながら、複数の内部の収納空間にまたがって配置することができる。従って、機能部の収納スペースを効率的に拡大することができる。
【００１４】
本発明において、好ましくは、便器本体は、さらに、機能部の可撓性の細長部材を二重壁内収納空間部から便器本体の外部まで挿通可能な挿通経路部を備え、機能部の可撓性の細長部材が二重壁内収納空間部から挿通経路部を通して外部に延ばされるようになっている。
このように構成された本発明においては、機能部の可撓性の細長部材が二重壁内収納空間部から挿通経路部を通して便器本体の外部に延ばされるので、機能部の一部を第一収納空間部からスカート部の二重壁部分内の二重壁内収納空間部内を介して便器本体の外部に延びるようにも配置することができ、スカート部の二重壁部分内の二重壁内収納空間部の収納スペースを有効に活用しながら、便器本体の外部に延ばすことができる。従って、機能部の収納スペースを効率的に拡大することができる。
【００１５】
本発明において、好ましくは、さらに、二重壁内収納空間部内に管状の通路を形成するさや管を有し、機能部の可撓性の細長部材が二重壁内収納空間部内に配置されたさや管内を挿通される。
このように構成された本発明においては、機能部の可撓性の細長部材をさや管の形状に沿って二重壁内収納空間部の収納スペースに効率的に配置することができる。また、機能部の可撓性の細長部材をスカート部の二重壁部分内の二重壁内収納空間部内を通す際に、さや管に沿って比較的容易に挿通させることができる。
【００１６】
本発明において、好ましくは、さや管は、便器本体に固定されている。
このように構成された本発明においては、機能部の取外し、修理、交換、メンテナンス時等にさや管を便器本体内に残した状態で機能部、例えば機能部の配線、給水管をさや管から取り外すことができ、且つ機能部を容易に再度取り付けることができる。
【００１７】
本発明において、好ましくは、便器本体は、さらに、少なくとも２カ所の二重壁部分の前記内壁を連結する補強部を有する。
このように構成された本発明においては、補強部が少なくとも２カ所の二重壁部分の内壁を連結することにより、スカート部内に二重壁内収納空間部を形成する場合においても、スカート部の二重壁部分を互いに支持することができ、スカート部及び便器本体の強度及び耐荷重性を向上させることができる。
【発明の効果】
【００１８】
本発明の水洗大便器によれば、機能部の少なくとも一部がスカート部よりも内側の便器本体内の第一収納空間部に埋め込むように収納される場合に、第一収納空間部に配置される機能部の少なくとも一部が第一接続開口を介してスカート部の二重壁内収納空間部内に配置され、機能部の一部をスカート部の二重壁内収納空間部内に配置することができるので、機能部の収納スペースを効率的に拡大することができる。
【図面の簡単な説明】
【００１９】
【図１】本発明の一実施形態による水洗大便器を示す斜視図である。
【図２】図１の水洗大便器の内部構造を、便蓋及び便座を開いた状態で示す斜視図である。
【図３】本発明の一実施形態による水洗大便器の背面図である。
【図４】本発明の一実施形態による水洗大便器の概略分解斜視図である。
【図５】図１の水洗大便器の内部構造を、左側側方から見た中央断面により示す中央断面図である。
【図６】図２のＶＩ−ＶＩ線に沿って見た断面図である。
【図７】図１の水洗大便器の内部構造を、右側側方から見た中央断面により示す中央断面図である。
【発明を実施するための形態】
【００２０】
次に、添付図面を参照して、本発明の一実施形態による水洗大便器を説明する。
先ず、図１乃至図５により、本発明の一実施形態による水洗大便器の構造を説明する。ここで、図１は本発明の一実施形態による水洗大便器を示す斜視図であり、図２は図１の水洗大便器の内部構造を、便蓋及び便座を開いた状態で示す斜視図であり、図３は本発明の一実施形態による水洗大便器の背面図であり、図４は本発明の一実施形態による水洗大便器の概略分解斜視図であり、図５は図１の水洗大便器の内部構造を、左側側方から見た中央断面により示す中央断面図である。
【００２１】
図１及び図２に示すように、本発明の一実施形態による水洗大便器１は、便器本体２と、この便器本体２の上面に配置された便座４と、便座を覆うように配置された便蓋６と、便器本体２の後方に配置された機能部１６とを備えている。以下、本発明の実施形態における説明において、便器本体２を、便器本体２を使用する使用者側から見て手前側を前方側とし、使用者から見て奥側を後方側とし、便器本体２を前方から見て右側を右側とし、前方から見て左側を左側として説明している。
【００２２】
便器本体２は陶器製であり、便器本体２には、汚物を受けるボウル部８と、このボウル部８の底部から延びる排水トラップ管路（排水路）１０と、ジェット吐水を行うジェット吐水口１２と、リム吐水を行うリム吐水口１４と、ジェット吐水口１２に洗浄水を導くジェット導水路３４と、リム吐水口１４に洗浄水を導くリム導水路１５とが形成されている。
ジェット吐水口１２は、ボウル部８の底部に形成されており、排水トラップ管路１０の入口に向けて開口しており、排水トラップ管路１０の入口に指向してほぼ水平に配置され、洗浄水を排水トラップ管路１０に向けて吐出するようになっている。
リム吐水口１４は、ボウル部８の右側上部前方に形成されており、ボウル部８の縁に沿って洗浄水を吐出するようになっている。リム吐水口１４は、洗浄水を後方側に吐出するようになっている。なお、リム吐水口１４は、ボウル部８の他の部分に形成され、ボウル部８のリム部の縁に沿って洗浄水を他の向きに（例えばボウル部８の先端に向かう向きに）吐出するように形成されていてもよい。図２及び図５において、リム吐水口１４から吐水された洗浄水がボウル部８内を旋回しながらボウル部８を洗浄する様子を矢印Ａ１により示している。
【００２３】
排水トラップ管路１０は、入口部１０ａと、この入口部１０ａから上昇するトラップ上昇管１０ｂと、このトラップ上昇管１０ｂから下降するトラップ下降管１０ｃとからなり、トラップ上昇管１０ｂとトラップ下降管１０ｃとの間が頂部１０ｄとなっている。よって、排水トラップ管路１０は、入口からいったん上昇した後に下降するような排水トラップを形成している。
【００２４】
一実施形態による水洗大便器１は、ボウル部８への洗浄水の吐止水を制御する機能を少なくとも有する機能部１６を有している。機能部１６は、使用者の局部を洗浄するいわゆる局部洗浄機能を提供するための局部洗浄機能部１８と、洗浄水により便器本体２を洗浄して汚物を排出する機能を提供する便器機能部２０とを備えている。
【００２５】
局部洗浄機能部１８は、使用者が操作部（図示せず）を操作することにより、作動され、使用者の局部を洗浄水により洗浄するようになっている。局部洗浄機能部１８は、配線により外部電源と接続され、外部電源から電気を供給されて動作されるようになっている。また、局部洗浄機能部１８には、使用者の局部洗浄用の洗浄水が供給されるようになっている。なお、図５乃至図７においては、説明の簡略化のため、局部洗浄機能部１８の詳細な構造を省略し、局部洗浄機能部１８を簡略化した外形によって示している。
図２に示すように、局部洗浄機能部１８及び便器機能部２０は、後述するようにスカート部３８の内側に便器本体２の内部部材として埋め込むように配置されており、その上方に機能部カバー２８が配置されている。局部洗浄機能部１８及び便器機能部２０は、機能部カバー２８の下方に配置され、機能部カバー２８によって便器本体２を使用する使用者から見えないように隠蔽されている。
【００２６】
一実施形態による水洗大便器１は、リム吐水に関しては、水道水を供給する水道に直結されており、水道の給水圧力を利用して、リム吐水口１４から洗浄水が吐出される。また、ジェット吐水に関しては、貯水タンク２２に貯水された洗浄水を加圧ポンプ２４によって加圧して、大流量でジェット吐水口１２から吐出させるようになっている。
【００２７】
次に、図４により、一実施形態による水洗大便器１の便器機能部２０を説明する。
図４に示すように、便器機能部２０には、水道等の給水源からの流路を電気的に開閉する電磁弁３０と、電磁弁３０の下流側の給水路に設けられ、且つリム導水路３２と、貯水タンク２２側への給水とを切り替える切替弁３６と、洗浄水を貯水する貯水タンク２２と、貯水タンク２２に貯水された洗浄水を加圧して送出する加圧ポンプ２４と、を備えている。便器機能部２０の電磁弁３０の開閉操作、切替弁３６の切換操作、及び、加圧ポンプ２４の回転数や作動時間等を制御するコントローラ（制御手段）２６は、便器機能部２０側に内蔵されている。コントローラ２６は使用者の操作部（図示せず）の操作を受けて作動される。便器機能部２０は、定流量弁、リム吐水用バキュームブレーカ、ジェット吐水用バキュームブレーカ等の他の部材を必要に応じて備えていてもよい。
【００２８】
水道等の給水源から供給される洗浄水は、給水源から延びる給水管（図示せず）が止水栓まで接続され、止水栓（図示せず）を介して、電磁弁３０に流入し、電磁弁３０を通過した洗浄水は、切替弁３６に供給されるようになっている。給水管は、後述するように二重壁内収納空間部４６内を通すように配置されていてもよい。電磁弁３０は、コントローラ２６の制御信号により開閉され、供給された洗浄水を切替弁３６に流入させ、又は停止させるようになっている。切替弁３６は、コントローラ２６の制御信号により切替えられ、供給された洗浄水をリム吐水口１４又は貯水タンク２２に供給するようになっている。この切替弁３６は、リム側であるリム導水路３２とタンク側である貯水タンク２２の両方に同じタイミングで洗浄水を供給可能であって、リム側とタンク側への給水量の割合を任意に変更することができる切替弁である。また、リム導水路３２又は貯水タンク２２の片方のみに洗浄水を供給するように流路を切替えることも可能である。
【００２９】
貯水タンク２２は、ジェット吐水口１２から吐水すべき洗浄水を貯水するように構成されている。貯水タンク２２に供給された洗浄水は、加圧ポンプ２４により加圧して送出され、ジェット吐水口１２に供給されるようになっている。
【００３０】
加圧ポンプ２４は、貯水タンク２２に貯水された洗浄水を加圧して、ジェット吐水口１２から吐出させるためのものである。加圧ポンプ２４は、貯水タンク２２の下流側の洗浄水給水管路（図示せず）上に設けられ、貯水タンク２２内に貯水された洗浄水を加圧して圧送する。
加圧ポンプ２４が貯水タンク２２に貯水された洗浄水を加圧して圧送するので、水道直圧の給水方式とは異なり、水道等の給水圧が比較的低い地域においても、洗浄水の予め決められた所定の瞬間流量でジェット吐水を行うことができ、安定した洗浄性能を有することができる。
【００３１】
コントローラ２６は、使用者による操作部（図示せず）の操作により、電磁弁３０、切替弁３６、加圧ポンプ２４を順次作動させ、リム吐水口１４及びジェット吐水口１２からの吐水を順次開始させて、ボウル部８を洗浄する。さらに、コントローラ２６は、洗浄終了後、電磁弁３０を開放し、洗浄水を貯水タンク２２に補給する。貯水タンク２２内の水位が上昇し、貯水タンク２２内の上端フロートスイッチ（図示せず）が規定の貯水量を検出すると、コントローラ２６は、電磁弁３０を閉鎖して給水を停止する。
【００３２】
加圧ポンプ２４、コントローラ２６、電磁弁３０、切替弁３６等の給電配線（図示せず）は、局部洗浄機能部１８に接続され、局部洗浄機能部１８の給電配線（図示せず）とともに、配線６４と接続されている。なお、加圧ポンプ２４、コントローラ２６、電磁弁３０、切替弁３６等の給電配線（図示せず）は、局部洗浄機能部１８を介さずに直接配線６４と接続されていてもよい。よって、電気が、外部電源から配線６４を介して、加圧ポンプ２４、電磁弁３０、切替弁３６、局部洗浄機能部１８等に供給されるようになっている。
【００３３】
次に、図１乃至図７により、スカート部（スカート部）について説明する。
図６は、図２のＶＩ−ＶＩ線に沿って見た断面図であり、図７は図１の水洗大便器の内部構造を、右側側方から見た中央断面により示す中央断面図である。
【００３４】
便器本体２は、さらに、ボウル部８の外側に形成されるスカート部（スカート部）３８を有する。スカート部３８は陶器製である。スカート部３８は、ボウル部８の外側に配置される外観部材を形成し、スカート部３８の上に便蓋６が取付けられた状態で水洗大便器の主に全体の外観を構成している。本実施形態においては、スカート部３８は、ボウル部８、排水トラップ管路１０、ジェット導水路３４、リム導水路１５及び機能部１６の外周の全体を覆うように形成され、総スカート部を形成している。本実施形態においては、水洗大便器１の胴部の全周がスカート部３８によって形成されている。なお、スカート部３８は、ボウル部８、排水トラップ管路１０、ジェット導水路３４、リム導水路１５及び機能部１６の少なくとも一部の外側に形成されていればよい。本実施形態においては、スカート部３８は、その上端部３８ａから下端部３８ｂまで延びる壁面を形成し、全体としてスカート形状を形成している。スカート部３８の背面（後方側の面）は、後方の施設側の壁面から離間して配置されている。
【００３５】
スカート部３８は、外観を構成する外装部分を形成する外壁４０と、外壁４０の内側に形成される内壁４２と、により形成される二重壁部分４４を少なくとも一部に備えている。
スカート部３８の外壁４０は、スカート部３８の上端部３８ａから下端部３８ｂまで緩やかに湾曲しながら延びる縦壁面を形成している。外壁４０の表側は、使用者から視認されるようになっており、水洗大便器１の胴部の美観を生じさせるシルエットを形成するようになっている。一方、外壁４０の裏面側は、二重壁部分４４内の二重壁内収納空間部４６を形成するようになっている。スカート部３８の内壁４２は、外壁４０より内側に形成され且つ外壁４０から離間して形成される縦壁を形成している。よって、スカート部３８の内壁４２と、外壁４０とにより形成される二重壁部分４４の中の隙間空間に二重壁内収納空間部４６が形成される。
【００３６】
スカート部３８の外壁４０は、スカート部３８の後方の下部に設けられた外部開口部４８を形成している。外部開口部４８は、使用者から見て便器本体２の背面側に形成されるため、使用者から視認しにくい位置に形成されている。なお、外部開口部４８は、スカート部３８の下端部３８ｂに形成され、スカート部３８と施設側の床面Ｆとの間に隙間状に形成された開口部であってもよい。よって、後述する挿通経路部５０は、スカート部３８と施設側の床面Ｆとの間に隙間状に形成された外部開口部４８を通るように形成されていてもよい。
なお、他の実施形態として、スカート部３８の外壁に外部開口部が形成されておらず、外部開口部が施設側の床面Ｆに形成されていてもよい。この場合、詳細を後述するような機能部１６の一部を二重壁内収納空間部４６から水洗大便器１の外部まで挿通可能な挿通経路部５０は、二重壁内収納空間部４６から第二収納空間部５２を通り、床面Ｆに形成された外部開口部を有する挿通経路部として形成されることになる。このとき機能部１６の一部は、第二収納空間部５２から便器本体２の外部の床面Ｆを通して配置される。
【００３７】
図６に示すように、スカート部３８は、機能部１６の外側の外周部分を形成しているので、左右方向の断面において、水洗大便器１の左側部分と、右側部分の外側を覆うように形成されている
便器本体２は、スカート部３８の内壁４２の内側に機能部１６を配置できるようになっている。より具体的には、左側部分のスカート部３８の内壁４２の内側且つ、右側部分のスカート部３８の内壁４２の内側の中央領域に形成される第一収納空間部５４に機能部１６が配置できるようになっている。
【００３８】
第一収納空間部５４は、左側部分のスカート部３８の内壁４２の内側、右側部分のスカート部３８の内壁４２の内側、且つスカート部３８の上端部３８ａより下方側に形成されている。よって、便器本体２のスカート部３８は、スカート部３８の上端よりも下方且つスカート部３８よりも内側に機能部１６の全部又は機能部１６の少なくとも一部を便器本体２内に埋め込むように収納する第一収納空間部５４を形成している。よって、便器本体２の側方から見た場合に、機能部１６が便器本体２内及びスカート部３８内に埋め込まれているように見えるようになっている。本実施形態においては、スカート部３８の上端部３８ａ上には便座４及び便蓋６のみが配置され、局部洗浄機能部１８及び便器機能部２０等の機能部１６は、スカート部３８の上端部３８ａより下方側に埋め込まれるように配置されている。別の言い方によれば、機能部１６は、便器本体２の頂面のリム上面上に配置されないようになっている。機能部１６は少なくとも一部が便器本体２内に埋め込むように収納され且つ他の一部が便器本体２から外側に出ている状態であってもよい。また、機能部１６は大部分が便器本体２内に埋め込むように収納され且つ他の一部が便器本体２からわずかに外側に出ている状態であってもよい。
【００３９】
二重壁内収納空間部４６は、第一収納空間部５４の外側に形成されている。左側の内壁４２の上部の上部内壁４２ａにおいては、第一収納空間部５４と、二重壁部分４４内の二重壁内収納空間部４６とを連通する第一接続開口５６が形成されている。左側の内壁４２の下部の下部内壁４２ｂにおいては、第二収納空間部５２と、二重壁部分４４内の二重壁内収納空間部４６とを接続する第二接続開口５８が形成されている。
【００４０】
第二収納空間部５２は、第一収納空間部５４と区切られて、第一収納空間部５４の下方部分に設けられているが、第二収納空間部５２は、第一収納空間部５４と連通していてもよい。第二収納空間部５２は、下部内壁４２ｂの間に形成され且つ後述する補強部の下方に形成されている。第二収納空間部５２は、その下面が床面Ｆにより形成されている。なお、第二収納空間部５２は、第一収納空間部５４の下方部分以外の便器本体２内の他の部分であってもよい。第二収納空間部５２は、スカート部３８の後方の下部に設けられた外部開口部４８と連通している。すなわち、第二収納空間部５２は、外部開口部４８を介して便器本体２の外部に連通するようになっている。従って、便器本体２が、機能部１６の一部を二重壁内収納空間部４６から第二収納空間部５２及び外部開口部４８を介して水洗大便器１の外部まで挿通可能な挿通経路部５０を備えている。本実施形態においては、挿通経路部５０は、第一収納空間部５４、第一接続開口５６、二重壁内収納空間部４６、第二接続開口５８、第二収納空間部５２及び外部開口部４８により形成される連続した空間の経路である。
【００４１】
二重壁部分４４に、第一接続開口５６が形成されている。二重壁内収納空間部４６は、機能部１６の少なくとも一部が、第一接続開口５６を介して二重壁内収納空間部４６内に配置されるようになっている。本実施形態においては、局部洗浄機能部１８及び便器機能部２０の配線６４（配線６４等の可撓性の細長部材も機能部１６に含まれる）が、第一接続開口５６を介して二重壁内収納空間部４６内に通され、第二接続開口５８から第二収納空間部５２内に通され、且つ第二収納空間部５２から外部開口部４８を介して外部に延ばされている。変形例としては、便器機能部２０の他の構成要素の一部が第一接続開口５６を介して二重壁内収納空間部４６内に挿入されるように配置されていてもよい。
本実施形態においては、二重壁内収納空間部４６、第一接続開口５６及び第二接続開口５８は、便器本体２の左側部分に形成されているが、これらは、便器本体２の右側部分に形成されていてもよく、また、これらは、便器本体２の左側部分及び右側部分の両側に形成されていてもよく、また、これらは、便器本体２の背側部分等の他の部分に形成されていてもよい。
【００４２】
二重壁内収納空間部４６は、少なくとも第一収納空間部５４の外側に形成されている。また、二重壁内収納空間部４６は、その上端の高さが、第一収納空間部５４の上端の高さとほぼ同じ高さに形成されている。よって、二重壁内収納空間部４６の一部は、その高さが、第一収納空間部５４の高さとほぼ同じ高さに形成されている。よって、第一接続開口５６は、横方向に延びる貫通孔を形成している。二重壁内収納空間部４６は、第一接続開口５６を介して第一収納空間部５４と接続されることにより、第一収納空間部５４の内部収納空間を左右方向に拡張するような拡張内部収納空間を形成している。従って、二重壁内収納空間部４６は、第一収納空間部５４内に設けられた機能部１６が横方向に突出する部分を有している場合において、この横方向に突出する部分を二重壁内収納空間部４６内に受け入れることができるようになっている。
【００４３】
二重壁内収納空間部４６内には、二重壁内収納空間部４６内に管状の通路を形成するさや管６０が設けられている。さや管６０は、管状のダクトを形成している。さや管６０は、内部にさまざまな給電用等の配線、給水等のための通水配管、通気配管、コントローラ２６と信号を送受信できる信号線、操作用ワイヤ、及び/又は固定用ワイヤ等の可撓性の細長部材（機能部の可撓性の細長部材）を通すことができる導管としての機能を有している。さや管６０は、可撓性を有し且つ径の比較的小さい細長部材を通すことができる。さや管６０は、内部にさまざまな配線、配管、ワイヤ等を収納することができる収納部としての機能を有している。さらに、さや管６０は、その入口部近傍において、配線の接続部等の機能部１６の一部が挿入された状態で配置される収納部としての機能を有している。
さや管６０は、第一接続開口５６及び/又は第二接続開口５８において固定部６２によりスカート部３８に固定されている。さや管６０は、他のスカート部３８部分に固定されていてもよく、また、便器本体２内に配置される他の部材に固定されていてもよい。
本実施形態においては、さや管６０は、局部洗浄機能部１８及び便器機能部２０両者に給電できる１つの配線６４を通しているが、さや管６０は、機能部１６の複数の配線を別々にした状態のまま通すことができる。さらに、さや管６０は、配線、通水配管、通気配管、信号線、及び/又はワイヤ等のうちの複数の可撓性の細長部材を通すこともできる。また、さや管６０は、２つ以上のさや管６０により形成されていてもよく、例えば、１つのさや管６０が配線を通している場合に、別のさや管６０が通水配管を通すように構成されていてもよい。
【００４４】
さや管６０は、自身が可撓性を有し、二重壁内収納空間部４６内において自由に変形可能であるため、機能部１６の配線６４等の可撓性の細長部材をさや管の形状に沿って二重壁内収納空間部の収納スペースに効率的に配置することができる。また、機能部１６の配線６４等の可撓性の細長部材をスカート部３８の二重壁部分４４内の二重壁内収納空間部４６内を通す際に、さや管６０に沿って比較的容易に挿通させることができる。さらに、さや管６０が内部に配置される機能部１６の可撓性の細長部材を保護する機能も果たすことが出来る。
【００４５】
本実施形態においては、さや管６０は、第一接続開口５６から、二重壁内収納空間部４６内を延び、第二接続開口５８まで延びるように形成されているが、さや管６０は、その一端（開始端）が第一収納空間部５４内まで延びるように形成されていてもよく、また、さや管６０は、その他端（終端）が第二収納空間部５２、外部開口部４８、又は便器本体２の外部まで延びるように形成されていてもよい。
【００４６】
なお、二重壁内収納空間部４６内を通されたさや管６０が、便器本体２内部において機能部１６での内部配線、内部通水管、内部信号線及び/又は内部ワイヤ等を通して配置するように形成されていてもよい。例えば、第二収納空間部５２に配置された機能部１６の一部と、第一収納空間部５４に配置された機能部１６の一部とをさや管６０を通る内部配線、内部通水管、内部信号線及び/又は内部ワイヤ等により接続することができる。このように、二重壁内収納空間部４６内を通されたさや管６０に便器本体２内部においてのみ取回される内部配線等が配置される場合には、スカート部３８の外壁に外部開口部４８を形成しないこととすることもできる。
【００４７】
機能部１６の一部を二重壁内収納空間部４６等の内部に効率的に配置できることにより、機能部１６の一部が便器本体２の外部に露出されることを抑制し、便器本体２の外観の意匠性を保つことが出来る。すなわち、使用者に対し、便器本体２のスカート部３８と便蓋６のみが見えるような美しいシルエットを保つことができる。
【００４８】
便器本体２は、さらに、少なくとも２カ所の二重壁部分４４の内壁４２を連結する補強部６６を有する。補強部６６は、左右方向に、右側の内壁４２と左側の内壁４２との間に延びている。補強部６６は、第一収納空間部５４の底面を形成し、上部の第一収納空間部５４と下部の第二収納空間部５２とを区切るようになっている。なお、補強部６６は、二重壁部分４４の内壁４２と、他の便器本体２のスカート部３８の部分とを接続するように形成されていてもよい。より具体的には、補強部６６は、その左右側の両端において上方側に延びる上部内壁４２ａと接続されている。また、補強部６６は、その左右側の両端よりもやや内側にずれた位置において下方側に延びる下部内壁４２ｂと接続されている。また、図７に示すように、補強部６６は、前後方向においては、補強部６６の前端が排水トラップ管路１０と接続され、補強部６６の後端が便器本体２の後部側の上部内壁４２ａと接続されている。
補強部６６は、その上方の第一収納空間部５４を形成し、且つ第一収納空間部５４内に収納される機能部１６の下端を支持するようになっている。補強部６６が少なくとも２カ所の二重壁部分４４の内壁を連結することにより、スカート部３８内に二重壁内収納空間部４６を形成する場合においても、スカート部３８の二重壁部分４４を互いに支持することができ、スカート部３８の強度及び耐荷性を向上させることができる。また、補強部６６が二重壁部分４４の内壁の間に補強面を形成することにより、内壁４２や補強部６６にかかる荷重を、補強部６６に接続される他の内壁４２等に分散させることができる。
【００４９】
上述した本発明の一実施形態による水洗大便器１によれば、便器本体２は、スカート部３８の上端部３８ａよりも下方且つスカート部３８よりも内側に機能部１６の少なくとも一部を便器本体２内に埋め込むように収納する第一収納空間部５４を形成し、さらに、スカート部３８は、外壁４０と、外壁４０との間に二重壁内収納空間部４６を形成する内壁４２とを備えた二重壁部分４４を少なくとも一部に形成している。よって、機能部１６の少なくとも一部がスカート部３８よりも内側の便器本体２内の第一収納空間部５４に埋め込むように収納される場合に、第一収納空間部５４に配置される機能部１６の少なくとも一部が第一接続開口５６を介してスカート部３８の二重壁内収納空間部４６内に配置され、機能部１６の一部をスカート部３８の二重壁内収納空間部４６内に配置することができるので、機能部１６の収納スペースを効率的に拡大することができる。
【００５０】
上述した本発明の一実施形態による水洗大便器１によれば、機能部１６の可撓性の細長部材、例えば配線６４等が二重壁内収納空間部４６から第二接続開口５８を介して便器本体２内の第二収納空間部５２に延ばされるので、
機能部１６の一部を第一収納空間部５４からスカート部３８の二重壁部分４４内の二重壁内収納空間部４６内を介して第二収納空間部５２まで至るように配置することができ、スカート部３８の二重壁部分４４内の二重壁内収納空間部４６の収納スペースを有効に活用しながら、複数の内部の収納空間にまたがって配置することができる。従って、機能部１６の収納スペースを効率的に拡大することができる。
【００５１】
上述した本発明の一実施形態による水洗大便器１によれば、機能部１６の可撓性の細長部材、例えば配線６４等が二重壁内収納空間部４６から挿通経路部５０を通して便器本体２の外部に延ばされるので、機能部１６の一部を第一収納空間部５４からスカート部３８の二重壁部分４４内の二重壁内収納空間部４６内を介して便器本体２の外部に延びるようにも配置することができ、スカート部３８の二重壁部分４４内の二重壁内収納空間部４６の収納スペースを有効に活用しながら、便器本体２の外部に延ばすことができる。従って、機能部１６の収納スペースを効率的に拡大することができる。
【００５２】
上述した本発明の一実施形態による水洗大便器１によれば、機能部１６の可撓性の細長部材、例えば配線６４等をさや管６０の形状に沿って二重壁内収納空間部４６の収納スペースに効率的に配置することができる。また、機能部１６の可撓性の細長部材をスカート部３８の二重壁部分４４内の二重壁内収納空間部４６内を通す際に、さや管６０に沿って比較的容易に挿通させることができる。
【００５３】
上述した本発明の一実施形態による水洗大便器１によれば、機能部１６の取外し、修理、交換、メンテナンス時等にさや管６０を便器本体２内に残した状態で機能部１６、例えば機能部の配線６４、給水管等をさや管６０から取り外すことができ、且つ機能部１６を容易に再度取り付けることができる。
【００５４】
上述した本発明の一実施形態による水洗大便器１によれば、補強部６６が少なくとも２カ所の二重壁部分４４の内壁４２を連結することにより、スカート部３８内に二重壁内収納空間部４６を形成する場合においても、スカート部３８の二重壁部分４４を互いに支持することができ、スカート部３８及び便器本体２の強度及び耐荷重性を向上させることができる。
【符号の説明】
【００５５】
１        水洗大便器
２        便器本体
４        便座
６        便蓋
８        ボウル部
１０      排水トラップ管路
１０ａ    入口部
１０ｂ    トラップ上昇管
１０ｃ    トラップ下降管
１０ｄ    頂部
１２      ジェット吐水口
１４      リム吐水口
１６      機能部
１８      局部洗浄機能部
２０      便器機能部
２２      貯水タンク
２４      加圧ポンプ
２６      コントローラ
２８      機能部カバー
３０      電磁弁
３２      リム導水路
３４      ジェット導水路
３６      切替弁
３８      スカート部
３８ａ    上端部
３８ｂ    下端部
４０      外壁
４２      内壁
４２ａ    上部内壁
４２ｂ    下部内壁
４４      二重壁部分
４６      二重壁内収納空間部
４８      外部開口部
５０      挿通経路部
５２      第二収納空間部
５４      第一収納空間部
５６      第一接続開口
５８      第二接続開口
６０      さや管
６２      固定部
６４      配線
６６      補強部
Ａ１      矢印
Ｆ        床面
【図１】
0006691659.tif 000002
【図２】
0006691659.tif 000003
【図３】
0006691659.tif 000004
【図４】
0006691659.tif 000005
【図５】
0006691659.tif 000006
【図６】
0006691659.tif 000007
【図７】
0006691659.tif 000008